(57)【要約】      （修正有）【課題】短時間で簡便にフェイスシールドに転用可能なクリアファイルを提供する。【解決手段】表側シート１１０が、表側開放長辺１１１を始端とする直線状の右縦ミシン目線１３０ＲＶと右縦ミシン目線１３０ＲＶに連なる四半円弧状の右円弧ミシン目線１３０ＲＡと溶着短辺１０２を終端とする右横ミシン目線１３０ＲＨからなる右シールド切取線１３０Ｒと、右縦ミシン目線１３０ＲＶの長手方向に並んで隣接する右上穿孔用ミシン目線１４０ＲＵと右下穿孔用ミシン目線１４０ＲＤとからなる右穿孔部１４０Ｒとを備え、裏側シート１２０が、裏側開放長辺１２１を始端とする直線状の左縦ミシン目線１３０ＬＶと左縦ミシン目線１３０ＬＶに連なる四半円弧状の左円弧ミシン目線１３０ＬＡと溶着短辺１０２を終端とする左横ミシン目線１３０ＬＨからなる左シールド切取線１３０Ｌと、左縦ミシン目線の長手方向に並んで隣接する左上穿孔用ミシン目線１４０ＬＵと左下穿孔用ミシン目線１４０ＬＤとからなる左穿孔部１４０Ｌとを備えている。【選択図】図１
0003227440.tif 000002
【実用新案登録請求の範囲】
【請求項１】
中央の折返長辺で二つ折りにして重ねられて略矩形の表側シートおよび裏側シートが構成され、該表側シート及び裏側シートの前記折返長辺と対向する長辺がそれぞれ解放された表側開放長辺及び裏側開放長辺となり、前記折返長辺に隣接する一方の短辺が相互に溶着された溶着短辺となり、他方の短辺がそれぞれ開放された表側開放短辺及び裏側開放短辺となっているクリアファイルにおいて、
前記表側シートが、前記表側開放長辺を始端とする直線状の右縦ミシン目線と該右縦ミシン目線に連なる四半円弧状の右円弧ミシン目線と該右円弧ミシン目線に連なり前記溶着短辺を終端とする右横ミシン目線からなる右シールド切取線と、前記右縦ミシン目線の長手方向に並んで隣接する右上穿孔用ミシン目線と右下穿孔用ミシン目線とからなる右穿孔部とを備え、
前記裏側シートが、前記裏側開放長辺を始端とする直線状の左縦ミシン目線と該左縦ミシン目線に連なる四半円弧状の左円弧ミシン目線と該左円弧ミシン目線に連なり前記溶着短辺を終端とする左横ミシン目線からなる左シールド切取線と、前記左縦ミシン目線の長手方向に並んで隣接する左上穿孔用ミシン目線と左下穿孔用ミシン目線とからなる左穿孔部とを備えていることを特徴とするクリアファイル。
【請求項２】
中央の折返長辺で二つ折りにして重ねられて略矩形の表側シートおよび裏側シートが構成され、該表側シート及び裏側シートの前記折返長辺と対向する長辺がそれぞれ解放された表側開放長辺及び裏側開放長辺となり、前記折返長辺に隣接する一方の短辺が相互に溶着された溶着短辺となり、他方の短辺がそれぞれ開放された表側開放短辺及び裏側開放短辺となっているクリアファイルにおいて、
表側シートまたは裏側シートの少なくとも一方が、前記裏側開放長辺又は表側開放長辺を始端とし前記溶着短辺に略平行で直線状の左縦ミシン目線と該左縦ミシン目線に連なる四半円弧状の左円弧ミシン目線と該左円弧ミシン目線に連なる直線状の横ミシン目線と該横ミシン目線に連なり前記開放単辺を終端とする四半円弧状の右円弧ミシン目線からなるシールド切取線と、前記左縦ミシン目線の長手方向に並んで隣接する左上穿孔用ミシン目線と左下穿孔用ミシン目線とからなる左穿孔部と前記開放短辺の長手方向に並んで隣接する右上穿孔用ミシン目線と右下穿孔用ミシン目線とからなる右穿孔部とを備えていることを特徴とするクリアファイル。
【請求項３】
前記右穿孔部及び前記左穿孔部が、前記表側開放長辺又は前記裏側開放長辺に近接して設けられていることを特徴とする請求項１又は請求項２に記載のクリアファイル。
【考案の詳細な説明】
【技術分野】
【０００１】
本考案は、フェイスシールドに転用可能なクリアファイルに関する。
【背景技術】
【０００２】
新型コロナウイルス（ＣＯＶＩＤ−１９）の感染が世界的に問題となっている中、各国で使い捨てマスクが不足しており、大阪大学中島清一教授によるクリアファイルと３Ｄプリンターで顔を保護する簡易フェイスシールドを作る方法の提案など、様々な対応が模索されている。
【先行技術文献】
【特許文献】
【０００３】
【非特許文献１】２０２０．０４．０３  １８：０７  産経新聞速報ニュース「クリアファイルで新型コロナ対策のフェイスシールドを阪大が３Ｄデータ無料公開」https://www.sankei.com/west/news/200403/wst2004030023-n1.html
【考案の概要】
【考案が解決しようとする課題】
【０００４】
非特許文献１に記載のフェイスシールドは、シールド部分にクリアファイルを使用し、３Ｄプリンターでフレームを作成するものであるが、フレームの制作に３Ｄプリンターを必要とするためそのコストと時間がかかるとともに、フレームにクリアファイルを組付ける手間がかかり、さらにフレームが立体的な形状であるために携帯する際にかさ張るという問題がある。
【０００５】
そこで、本考案の目的は上述の従来のファイスシールドの問題を解決することにあり、すなわち、本考案の目的は、携帯に便利で、短時間で簡便にフェイスシールドに転用可能なクリアファイルを提供することである。
【課題を解決するための手段】
【０００６】
本請求項１に係る考案は、中央の折返長辺で二つ折りにして重ねられて略矩形の表側シートおよび裏側シートが構成され、該表側シート及び裏側シートの前記折返長辺と対向する長辺がそれぞれ解放された表側開放長辺及び裏側開放長辺となり、前記折返長辺に隣接する一方の短辺が相互に溶着された溶着短辺となり、他方の短辺がそれぞれ開放された表側開放短辺及び裏側開放短辺となっているクリアファイルにおいて、前記表側シートが、前記表側開放長辺を始端とする直線状の右縦ミシン目線と該右縦ミシン目線に連なる四半円弧状の右円弧ミシン目線と該右円弧ミシン目線に連なり前記溶着短辺を終端とする右横ミシン目線からなる右シールド切取線と、前記右縦ミシン目線の長手方向に並んで隣接する右上穿孔用ミシン目線と右下穿孔用ミシン目線とからなる右穿孔部とを備え、前記裏側シートが、前記裏側開放長辺を始端とする直線状の左縦ミシン目線と該左縦ミシン目線に連なる四半円弧状の左円弧ミシン目線と該左円弧ミシン目線に連なり前記溶着短辺を終端とする左横ミシン目線からなる左シールド切取線と、前記左縦ミシン目線の長手方向に並んで隣接する左上穿孔用ミシン目線と左下穿孔用ミシン目線とからなる左穿孔部とを備えていることにより、前述した課題を解決するものである。
【０００７】
本請求項２に係る考案は、中央の折返長辺で二つ折りにして重ねられて略矩形の表側シートおよび裏側シートが構成され、該表側シート及び裏側シートの前記折返長辺と対向する長辺がそれぞれ解放された表側開放長辺及び裏側開放長辺となり、前記折返長辺に隣接する一方の短辺が相互に溶着された溶着短辺となり、他方の短辺がそれぞれ開放された表側開放短辺及び裏側開放短辺となっているクリアファイルにおいて、表側シートまたは裏側シートの少なくとも一方が、前記裏側開放長辺又は表側開放長辺を始端とし前記溶着短辺に略平行で直線状の左縦ミシン目線と該左縦ミシン目線に連なる四半円弧状の左円弧ミシン目線と該左円弧ミシン目線に連なる直線状の左横ミシン目線と該左横ミシン目線に連なる直線状の横ミシン目線と該横ミシン目線に連なり前記開放単辺を終端とする四半円弧状の右円弧ミシン目線からなるシールド切取線と、前記左縦ミシン目線の長手方向に並んで隣接する左上穿孔用ミシン目線と左下穿孔用ミシン目線とからなる左穿孔部と前記開放短辺の長手方向に並んで隣接する右上穿孔用ミシン目線と右下穿孔用ミシン目線とからなる右穿孔部とを備えていることにより、前述した課題を解決するものである。
【０００８】
本請求項３に係る考案は、請求項１及び請求項２に係る考案の構成に加えて、前記右穿孔部及び前記左穿孔部が、前記表側開放長辺又は前記裏側開放長辺に近接して設けられていることにより、前述した課題をさらに解決するものである。
【考案の効果】
【０００９】
本考案のクリアファイルによれば、中央の折返長辺で二つ折りにして重ねられて略矩形の表側シートおよび裏側シートが構成され、表側シート及び裏側シートの折返長辺と対向する長辺がそれぞれ解放された表側開放長辺及び裏側開放長辺となり、折返長辺に隣接する一方の短辺が相互に溶着された溶着短辺となり、他方の短辺がそれぞれ開放された表側開放短辺及び裏側開放短辺となっていることにより、紙葉類を収容、保管することができるばかりでなく、以下の本考案に特有の構成により、本考案に特有の効果を奏する。
【００１０】
本考案の請求項１に係る考案のクリアファイルによれば、表側シートが、表側開放長辺を始端とする直線状の右縦ミシン目線と該右縦ミシン目線に連なる四半円弧状の右円弧ミシン目線と右円弧ミシン目線に連なり溶着短辺を終端とする右横ミシン目線からなる右シールド切取線と、右縦ミシン目線の長手方向に並んで隣接する右上穿孔用ミシン目線と右下穿孔用ミシン目線とからなる右穿孔部とを備え、裏側シートが、裏側開放長辺を始端とする直線状の左縦ミシン目線と縦ミシン目線に連なる四半円弧状の左円弧ミシン目線と左円弧ミシン目線に連なり溶着短辺を終端とする左横ミシン目線からなる左シールド切取線と、左縦ミシン目線の長手方向に並んで隣接する左上穿孔用ミシン目線と左下穿孔用ミシン目線とからなる左穿孔部とを備えていることにより、右シールド切取線と左シールド切取線から切り取られて中折れ型のフェイスシールド本体を形成するため、鼻が突出している人間の顔の形に適合して隙間が生じにくいフェイスシールド本体を、短時間で簡便に形成することができる。
【００１１】
本考案の請求項２に係る考案のクリアファイルによれば、表側シートまたは裏側シートの少なくとも一方が、裏側開放長辺又は表側開放長辺を始端とし溶着短辺に略平行で直線状の左縦ミシン目線と該左縦ミシン目線に連なる四半円弧状の左円弧ミシン目線と左円弧ミシン目線に連なる直線状の左横ミシン目線と左横ミシン目線に連なる直線状の横ミシン目線と横ミシン目線に連なり開放単辺を終端とする四半円弧状の右円弧ミシン目線からなるシールド切取線と、左縦ミシン目線の長手方向に並んで隣接する左上穿孔用ミシン目線と左下穿孔用ミシン目線とからなる左穿孔部と開放短辺の長手方向に並んで隣接する右上穿孔用ミシン目線と右下穿孔用ミシン目線とからなる右穿孔部とを備えていることにより、溶着部を切り離した表側シートまたは裏側シートで、なめらかなドーム型のフェイスシールド本体を構成して顔の画像が歪まないため、装着したままでも顔認証することができるフェイスシールドを短時間で簡便に形成することができる。
【００１２】
本請求項３に係る考案のクリアファイルによれば、請求項１又は請求項２に係る考案が奏する効果に加え、右穿孔部及び左穿孔部が、表側開放長辺又は裏側開放長辺に近接して設けられていることにより、右穿孔部及び左穿孔部に耳紐を通して顔に装着した際に、両耳と鼻または両頬でフェイスシールドを多点支持し、開放長辺が目のすぐ下の高さに位置してフェイスシールドが顔の下半分を覆うため、くしゃみ、咳または会話に伴う飛沫感染を防止することができる。また、フェイスシールド本体の重心が耳よりも下に位置するので、耳紐が緩んだ際にはフェイスシールドは下にずれて目などにはぶつからないため、快適に使用することができる。
【図面の簡単な説明】
【００１３】
【図１】本考案の第一の実施例を示す模式図。
【図２】本考案の第一の実施例に係るクリアファイルを用いたフェイスシールドを装着している様子を示す図。
【図３】本考案の第二の実施例を示す裏側シート側から見た模式図。
【図４】本考案の第二の実施例に係るクリアファイルを用いたフェイスシールドを装着している様子を示す図。
【図５】本考案のクリアファイルを用いたフェイスシールドを装着しても顔認証が可能であることを示す図。
【考案を実施するための形態】
【００１４】
本考案は、表側シートが、開放長辺を始端とする直線状の右縦ミシン目線と右縦ミシン目線に連なる四半円弧状の右円弧ミシン目線と右円弧ミシン目線に連なり溶着短辺を終端とする右横ミシン目線からなる右シールド切取線と、右縦ミシン目線の長手方向に並んで隣接する右上穿孔用ミシン目線と右下穿孔用ミシン目線とからなる右穿孔部とを備え、裏側シートが、開放長辺を始端とする直線状の左縦ミシン目線と左縦ミシン目線に連なる四半円弧状の左円弧ミシン目線と左円弧ミシン目線に連なり溶着短辺を終端とする左横ミシン目線からなる左シールド切取線と、左縦ミシン目線の長手方向に並んで隣接する左上穿孔用ミシン目線と左下穿孔用ミシン目線とからなる左穿孔部とを備えていることにより、鼻が突出している人間の顔の形に適合して隙間が生じにくいフェイスシールド本体を、短時間で簡便に形成することができるクリアファイルであれば、その具体的な実施態様は、如何なるものであっても構わない。
【００１５】
また、本考案は、表側シートまたは裏側シートの少なくとも一方が、開放長辺を始端とし溶着短辺に略平行で直線状の左縦ミシン目線と左縦ミシン目線に連なる四半円弧状の左円弧ミシン目線と左円弧指針目線に連なる直線状の左横ミシン目線と左横ミシン目線に連なる直線状の横ミシン目線と横ミシン目線に連なり開放単辺を終端とする四半円弧状の右円弧ミシン目線からなるシールド切取線と、左縦ミシン目線の長手方向に並んで隣接する左上穿孔用ミシン目線と左下穿孔用ミシン目線とからなる左穿孔部と開放短辺の長手方向に並んで隣接する右上穿孔用ミシン目線と右下穿孔用ミシン目線とからなる右穿孔部とを備えることにより、装着したままでも顔認証することができるフェイスシールドを短時間で簡便に形成することができるクリアファイルであれば、その具体的な実施態様は、如何なるものであっても構わない。
【００１６】
例えば、本考案に係るクリアファイルは、ＰＰ（ポリプロピレン）、ＰＥＴ（ポリエチレンテレフタレート）などの透明樹脂素材から作ることができるが、表側シート及び裏側シートが実質的に透明であればよく、一部に模様や文字が印刷されていても構わない。また、無色透明に限らず着色透明であってもよい。
【００１７】
本考案に係るクリアファイルは、Ａ４サイズの紙を収容する大きさであれば、ミシン目線から切り取った際に大人の顔のサイズにちょうど合うフェイスシールド本体を不足なく作ることができて好ましいが、その他のサイズであっても構わない。
【００１８】
本考案の溶着短辺は、表側シートと裏側シートとを熱溶着して一体化することができるが、表側シートと裏側シートとを接着その他の方法により一体化したものであっても構わない。
【００１９】
本考案のシールド切取線を構成する各ミシン目線は、打抜機により樹脂シートを加工したミシン罫またはマイクロミシン罫として形成することができるが、これらに限らず、人の手で容易に樹脂シートを切り離すことができる孔の列であれば、孔の大きさ、形状、間隔等を適宜設定して構わない。
【００２０】
また、各穿孔部を構成するミシン目線の形状は、押し開いて紐を通すことができれば、十字形に限らずＸ字型、＊型またはＣ型に設けてもよく、穿孔部として紐を通すための小孔が穿たれていても構わない。
【００２１】
以下に、本考案のクリアファイルについて、図１乃至図５に基づいて説明する。
【００２２】
ここで、図１は、本考案の第一の実施例を示す模式図、図２は、本考案の第一の実施例に係るクリアファイルを用いたフェイスシールドを装着している様子を示す図、図３は、本考案の第二の実施例を示す裏側シート側から見た模式図、図４は、本考案の第二の実施例に係るクリアファイルを用いたフェイスシールドを装着している様子を示す図、図５は、本考案のクリアファイルを用いたフェイスシールドを装着しても顔認証が可能であることを示す図である。
【００２３】
本考案の各実施例に係るクリアファイル１００は、中央の折返長辺１０１で二つ折りにして重ねられて略矩形の表側シート１１０および裏側シート１２０が構成され、この表側シート１１０及び裏側シート１２０の折返長辺１０１と隣接する短辺が相互に溶着された溶着短辺１０２となり、他の短辺が開放された開放短辺１１２、１２２となっている。
【実施例１】
【００２４】
まず、本考案の第一実施例に係るクリアファイル１００の構成を図１及び図２を参照して説明する。
【００２５】
第一実施例に係るクリアファイル１００は、表側シート１１０が、表側開放長辺１１１を始端とする直線状の右縦ミシン目線１３０ＲＶと右縦ミシン目線１３０ＲＶに連なる四半円弧状の右円弧ミシン目線１３０ＲＡと右円弧ミシン目線１３０ＲＡに連なり溶着短辺１０２を終端とする右横ミシン目線１３０ＲＨからなる右シールド切取線１３０Ｒと、右縦ミシン目線１３０ＲＶの長手方向に並んで隣接する右上穿孔用ミシン目線１４０ＲＵと右下穿孔用ミシン目線１４０ＲＤとからなる右穿孔部１４０Ｒとを備え、裏側シート１２０が、裏側開放長辺１２１を始端とする直線状の左縦ミシン目線１３０ＬＶと左縦ミシン目線１３０ＬＶに連なる四半円弧状の左円弧ミシン目線１３０ＬＡと左円弧ミシン目線１３０ＬＡに連なり溶着短辺１０２を終端とする左横ミシン目線１３０ＬＨからなる左シールド切取線１３０Ｌと、左縦ミシン目線の長手方向に並んで隣接する左上穿孔用ミシン目線１４０ＬＵと左下穿孔用ミシン目線１４０ＬＤとからなる左穿孔部１４０Ｌとを備えている。
【００２６】
したがって、本実施例では、シールド切取線１３０を構成する右シールド切取線１３０Ｒと左シールド切取線１３０Ｌのうち、右シールド切取線１３０Ｒは表側シート１１０に設けられ、左シールド切取線１３０Ｌは裏側シート１２０に設けられている。
【００２７】
また、穿孔部１４０を構成する右穿孔部１４０Ｒと左穿孔部１４０Ｌのうち、右穿孔部１４０Ｒは表側シート１１０に設けられ、左穿孔部１４０Ｌは裏側シート１２０に設けられている。
【００２８】
次に、本実施例のクリアファイル１００からフェイスシールド本体１５０を切り離してフェイスシールドとして利用する手順を説明する。
【００２９】
本実施例においては、図１に示すように、表側シート１１０に設けられている右シールド切取線１３０Ｒと、裏側シート１２０に設けられている左シールド切取線１３０Ｌとが、クリアファイル１００を平坦に閉じた状態において一致するように形成されているため、表側シート１１０と裏側シート１２０を重ねたままで、人の手で右シールド切取線１３０Ｒと左シールド切取線１３０Ｌとをいっぺんに切り裂いてフェイスシールド本体１５０を切り取ることができる。
【００３０】
フェイスシールド本体１５０を切り取った後に、図２に示すように、右穿孔部１４０Ｒを構成している右上穿孔用ミシン目線１４０ＲＵから右下穿孔用ミシン目線１４０ＲＤまで、右耳用の耳紐をかけ通し、左穿孔部１４０Ｌを構成している左上穿孔用ミシン目線１４０ＬＵから左下穿孔用ミシン目線１４０ＬＤまで、左耳用の耳紐をかけ通すように装着することにより、フェイスシールドとすることができる。
【００３１】
このとき、右シールド切取線１３０Ｒと左シールド切取線１３０Ｌから切り取られて中折れ型のフェイスシールド本体１５０が形成されているため、鼻が突出している人間の顔の形に適合して隙間が生じにくいフェイスシールド本体を、ひいてはそのようなフェイスシールドを、短時間で簡便に作ることができる。
【００３２】
また、右穿孔部１４０Ｒが表側開放長辺１１１に、左穿孔部１４０Ｌが裏側開放長辺１２１に、それぞれ近接して設けられていることにより、右穿孔部１４０Ｒ及び左穿孔部１４０Ｌに耳紐を通して顔に装着した際に、図２に示すように、両耳と両頬でフェイスシールドを四点支持し、表側開放長辺１１１及び裏側開放長辺１２１が目のすぐ下の高さに位置してフェイスシールドが顔の下半分を覆うため、くしゃみ、咳または会話に伴う飛沫感染を防止することができる。また、フェイスシールド本体の重心が耳よりも下に位置するので、耳紐が緩んだ際にはフェイスシールドは下にずれて目などにはぶつからないため、快適に使用することができる。
【実施例２】
【００３３】
次に、本考案の第二実施例に係るクリアファイル１００について、図３乃至図５を参照して説明する。
【００３４】
第二実施例に係るクリアファイル１００は、裏側シート１２０が、裏側開放長辺１２１を始端とし溶着短辺１０２に略平行で直線状の左縦ミシン目線１３０ＬＶと左縦ミシン目線に連なる四半円弧状の左円弧ミシン目線１３０ＬＡと左円弧ミシン目線１３０ＬＡに連なる直線状の横ミシン目線１３０Ｈと横ミシン目線１３０Ｈに連なり裏側開放単辺１２２を終端とする四半円弧状の右円弧ミシン目線１３０ＲＡからなるシールド切取線１３０と、左縦ミシン目線１３０ＬＶの長手方向に並んで隣接する左上穿孔用ミシン目線１４０ＬＵと左下穿孔用ミシン目線１４０ＬＤとからなる左穿孔部１４０Ｌと裏側開放短辺１２２の長手方向に並んで隣接する右上穿孔用ミシン目線１４０ＲＵと右下穿孔用ミシン目線１４０ＲＤとからなる右穿孔部１４０Ｒとを備えている。
【００３５】
したがって、本実施例では、シールド切取線１３０を構成する左縦ミシン目線１３０ＬＶと左円弧ミシン目線１３０ＬＡと横ミシン目線１３０Ｈと右円弧ミシン目線１３０ＲＡが裏側シート１２０に設けられている。
【００３６】
また、穿孔部１４０を構成する右穿孔部１４０Ｒと左穿孔部１４０Ｌが裏側シート１２０に設けられている。
【００３７】
次に、本実施例のクリアファイル１００からフェイスシールド本体１５０を切り離してフェイスシールドとして利用する手順を説明する。
【００３８】
本実施例においては、図３に示すように、一連のシールド切取線１３０が裏側シート１２０に設けられているため、裏側シート１２０のみについて人の手でシールド切取線１３０を切り裂いて、フェイスシールド本体１５０を切り取ることができる。
【００３９】
フェイスシールド本体１５０を切り取った後に、図４に示すように、右穿孔部１４０Ｒを構成している右上穿孔用ミシン目線１４０ＲＵから右下穿孔用ミシン目線１４０ＲＤまで、右耳用の耳紐をかけ通し、左穿孔部１４０Ｌを構成している左上穿孔用ミシン目線１４０ＬＵから左下穿孔用ミシン目線１４０ＬＤまで、左耳用の耳紐をかけ通すように装着することにより、フェイスシールドとすることができる。
【００４０】
このとき、溶着短辺１０２等を切り離した裏側シート１２０で、なめらかなドーム型のフェイスシールド本体１５０を構成しているので、図５に示すように、顔の画像が歪まず装着したままでも顔認証することができるフェイスシールドを短時間で簡便に形成することができる。
【００４１】
また、右穿孔部１４０Ｒ及び左穿孔部１４０Ｌが、裏側開放長辺１２１に近接して設けられていることにより、右穿孔部１４０Ｒ及び左穿孔部１４０Ｌに耳紐を通して顔に装着した際に、図４に示すように、両耳と鼻でフェイスシールドを三点支持し、裏側開放長辺１２１が目のすぐ下の高さに位置してフェイスシールドが顔の下半分を覆うため、くしゃみ、咳または会話に伴う飛沫感染を防止することができる。また、フェイスシールド本体の重心が耳よりも下に位置するので、耳紐が緩んだ際にはフェイスシールドは下にずれて目などにはぶつからないため、快適に使用することができる。
【００４２】
ここまで第二実施例として、裏側シート１２０のみにシールド切取線１３０と穿孔部１４０とを設けている場合について説明してきたが、表側シールドのみに同様のシールド切取線１３０及び穿孔部１４０を設けてもよく、裏側シート１２０と表側シート１１０の両方に、シールド切取線１３０と穿孔部１４０とを設けてもよい。両方に設ける場合には、シールド切取線１３０が相互に重なるように設けておけば、表側シート１１０と裏側シート１２０とからまとめて２枚のフェイスシールド本体１５０を切り離せるので効率よくフェイスシールド本体１５０を作ることができる。
【００４３】
以上、本考案に係るクリアファイル１００について実施例を用いて説明したが、本考案は、これらに限定されるものではない。
【００４４】
その他、本考案は、その主旨を逸脱しない範囲で当業者の知識に基づき種々の改良、修
正、変更を加えた態様で実施できるものである。
【産業上の利用可能性】
【００４５】
本考案に係るクリアファイルは、紙葉類を収容、保管する文具として用いることができる上に、フェイスシールド本体として利用することが出来る。
【符号の説明】
【００４６】
１００・・・・クリアファイル
１０１・・・・折返長辺
１０２・・・・溶着短辺
１１０・・・・表側シート
１１１・・・・表側開放長辺
１１２・・・・表側開放短辺
１２０・・・・裏側シート
１２１・・・・裏側開放長辺
１２２・・・・裏側開放短辺
１３０・・・・シールド切取線
１３０Ｒ・・・右シールド切取線
１３０ＲＶ・・右縦ミシン目線
１３０ＲＡ・・右円弧ミシン目線
１３０ＲＨ・・右横ミシン目線
１３０Ｌ・・・左シールド切取線
１３０ＬＶ・・左縦ミシン目線
１３０ＬＡ・・左円弧ミシン目線
１３０ＬＨ・・左横ミシン目線
１３０Ｈ・・・横ミシン目線
１４０・・・・穿孔部
１４０Ｒ・・・右穿孔部
１４０ＲＵ・・右上穿孔用ミシン目線
１４０ＲＤ・・右下穿孔用ミシン目線
１４０Ｌ・・・左穿孔部
１４０ＬＵ・・左上穿孔用ミシン目線
１４０ＬＤ・・左下穿孔用ミシン目線
１５０・・・・フェイスシールド本体
Ｓ・・・・・・耳紐
【図１】
0003227440.tif 000003
【図２】
0003227440.tif 000004
【図３】
0003227440.tif 000005
【図４】
0003227440.tif 000006
【図５】
0003227440.tif 000007
【手続補正書】
【提出日】令和2年5月29日(2020.5.29)
【手続補正１】
【補正対象書類名】実用新案登録請求の範囲
【補正対象項目名】全文
【補正方法】変更
【補正の内容】
【実用新案登録請求の範囲】
【請求項１】
中央の折返長辺で二つ折りにして重ねられて略矩形の表側シートおよび裏側シートが構成され、該表側シート及び裏側シートの前記折返長辺と対向する長辺がそれぞれ解放された表側開放長辺及び裏側開放長辺となり、前記折返長辺に隣接する一方の短辺が相互に溶着された溶着短辺となり、他方の短辺がそれぞれ開放された表側開放短辺及び裏側開放短辺となっているクリアファイルにおいて、
前記表側シートが、前記表側開放長辺を始端とする直線状の右縦ミシン目線と該右縦ミシン目線に連なる四半円弧状の右円弧ミシン目線と該右円弧ミシン目線に連なり前記溶着短辺を終端とする右横ミシン目線からなる右シールド切取線と、前記右縦ミシン目線の長手方向に並んで隣接する右上穿孔用ミシン目線と右下穿孔用ミシン目線とからなる右穿孔部とを備え、
前記裏側シートが、前記裏側開放長辺を始端とする直線状の左縦ミシン目線と該左縦ミシン目線に連なる四半円弧状の左円弧ミシン目線と該左円弧ミシン目線に連なり前記溶着短辺を終端とする左横ミシン目線からなる左シールド切取線と、前記左縦ミシン目線の長手方向に並んで隣接する左上穿孔用ミシン目線と左下穿孔用ミシン目線とからなる左穿孔部とを備えていることを特徴とするクリアファイル。
【請求項２】
中央の折返長辺で二つ折りにして重ねられて略矩形の表側シートおよび裏側シートが構成され、該表側シート及び裏側シートの前記折返長辺と対向する長辺がそれぞれ解放された表側開放長辺及び裏側開放長辺となり、前記折返長辺に隣接する一方の短辺が相互に溶着された溶着短辺となり、他方の短辺がそれぞれ開放された表側開放短辺及び裏側開放短辺となっているクリアファイルにおいて、
表側シートまたは裏側シートの少なくとも一方が、前記裏側開放長辺又は表側開放長辺を始端とし前記溶着短辺に略平行で直線状の左縦ミシン目線と該左縦ミシン目線に連なる四半円弧状の左円弧ミシン目線と該左円弧ミシン目線に連なる直線状の横ミシン目線と該横ミシン目線に連なり前記表側開放短辺又は裏側開放短辺を終端とする四半円弧状の右円弧ミシン目線からなるシールド切取線と、前記左縦ミシン目線の長手方向に並んで隣接する左上穿孔用ミシン目線と左下穿孔用ミシン目線とからなる左穿孔部と前記開放短辺の長手方向に並んで隣接する右上穿孔用ミシン目線と右下穿孔用ミシン目線とからなる右穿孔部とを備えていることを特徴とするクリアファイル。
【請求項３】
前記右穿孔部及び前記左穿孔部が、前記表側開放長辺又は前記裏側開放長辺に近接して設けられていることを特徴とする請求項１又は請求項２に記載のクリアファイル。